(57)【要約】  【課題】  トレンドやパターン等を認識し、株価や相場の変動を予測するための株価分析用チャートを表示するチャート紙等のシートであって、主として、株式投資額の知識を教授する教授者と、その教授を受ける受講者とが保有するチャートシートに関し、株式投資に関する知識の教授等に用いられる専用の株価分析用チャートシートが無断で複製され、その表示された情報等を模倣、盗用されるのを防止することを課題とする。  【解決手段】  縦軸に株価、横軸に日足、週足、月足、年足等の時期を表示しうるようにチャートシート本体１が構成された株価分析用チャートシートにおいて、同種の他のチャートシートと識別するための固有の識別表示１６が、チャートシート本体１に多数表示されていることを特徴とする。【選択図】  図１０
2007176145.tif 000002
【特許請求の範囲】
【請求項１】
縦軸に株価、横軸に日足、週足、月足、年足等の時期を表示しうるようにチャートシート本体（１）が構成された株価分析用チャートシートにおいて、同種の他のチャートシートと識別するための固有の識別表示（１６）が、チャートシート本体（１）に多数表示されていることを特徴とする株価分析用チャートシート。
【請求項２】
チャートシート本体（１）が、株式投資の知識を教授する教授者と、その教授を受ける複数の受講者とが保有するものであって、同種の他のチャートシートと識別するための固有の識別表示（１６）が、前記複数の受講者にそれぞれ付与された固有の識別表示である請求項１記載の株価分析用チャートシート。
【請求項３】
受講者に付与された固有の識別表示（１６）が、会員番号である請求項２記載の株価分析用チャートシート。
【請求項４】
固有の識別表示（１６）が、複製防止用の識別表示である請求項１乃至３のいずれかに記載の株価分析用チャートシート。
【請求項５】
固有の識別表示（１６）が、細字でチャートシート本体（１）上に表示されている請求項１乃至４のいずれかに記載の株価分析用チャートシート。
【請求項６】
固有の識別表示（１６）が、日足，週足，月足，年足等に相応する単位期間の同行欄（５）内に表示されている請求項１乃至５のいずれかに記載の株価分析用チャートシート。
【発明の詳細な説明】
【技術分野】
【０００１】
本発明は、トレンドやパターン等を認識し、株価や相場の変動を予測するための株価分析用チャートを表示するチャート紙等のシートであって、主として、株式投資の知識を教授する教授者と、その教授を受ける受講者とが保有するチャートシートに関する。
【背景技術】
【０００２】
一般に、この種の株価分析用チャートは、たとえば市販の書籍又はパソコン画面等に各企業毎に表示されており、一般投資家は、このような書籍又はパソコン画面等を利用して株価や相場の変動を予測する等の株価の分析を行っている。このような書籍又はパソコン画面等に表示された株価分析用チャートは、一般には、縦軸に株価、横軸に時期が表示され、その横軸の時期は、日足、週足、月足、年足等に応じて単位期間が設定されている。【０００３】
しかし、株式投資に関する知識が乏しい者や株式投資の初心者にとっては、書籍又はパソコン画面等に表示された株価分析用チャートを用いても、相場の変動を予測するのは容易ではなく、従って、実際の「売り」と「買い」を行うに際して複雑な株価の動向等を予測することは容易ではない。【０００４】
そこで、そのようなノウハウや株式投資に関する知識をたとえば株式投資の専門家に教授してもらえれば非常に好都合である。たとえば上記のような株式投資の専門家が、株式投資の知識を一般投資家や初心者等の受講者に教授するような場合に、専用の株価分析用チャートシートを利用することができる。【０００５】
すなわち、ケイ線、出来高その他の情報が表示された株価分析用チャートシートであって、同じ銘柄の同じ情報を表示したものを、教授者と受講者とがそれぞれ保有し、それを見ながら受講者は教授者の講義を受けることができる。【０００６】
しかし、このように教材として用いられる専用の株価分析用チャートシートは、教授者が有する株式投資に関する知識やノウハウが具現化されており、このような専用の株価分析用チャートシートを教授者に無断で受講者が複製して、第三者に開示等を行なうことは、教授者が有する株式投資に関する知識やノウハウが模倣、盗用される結果となる。
【発明の開示】
【発明が解決しようとする課題】
【０００７】
本発明は、上述のような問題点を解決するためになされたもので、上記株式投資に関する知識の教授等に用いられる専用の株価分析用チャートシートが無断で複製され、その表示された情報等を模倣、盗用されるのを防止することを課題とする。
【課題を解決するための手段】
【０００８】
本発明は、このような課題を解決するためになされたもので、請求項１記載の発明は、縦軸に株価、横軸に日足、週足、月足、年足等の時期を表示しうるようにチャートシート本体１が構成された株価分析用チャートシートにおいて、同種の他のチャートシートと識別するための固有の識別表示１６が、チャートシート本体１に多数表示されていることを特徴とする。【０００９】
また請求項２記載の発明は、請求項１記載の株価分析用チャートシートにおいて、
チャートシート本体１が、株式投資の知識を教授する教授者と、その教授を受ける複数の受講者とが保有するものであって、同種の他のチャートシートと識別するための固有の識別表示１６が、前記複数の受講者にそれぞれ付与された固有の識別表示であることを特徴とする。【００１０】
さらに請求項３記載の発明は、請求項２記載の株価分析用チャートシートにおいて、受講者に付与された固有の識別表示１６が、会員番号であることを特徴とする。
さらに請求項４記載の発明は、請求項１乃至３のいずれかに記載の株価分析用チャートシートにおいて、固有の識別表示が、複製防止用の識別表示であることを特徴とする。【００１１】
さらに請求項５記載の発明は、請求項１乃至４のいずれかに記載の株価分析用チャートシートにおいて、固有の識別表示１６が、細字でチャートシート本体１上に表示されていることを特徴とする。さらに請求項６記載の発明は、請求項１乃至５のいずれかに記載の株価分析用チャートシートにおいて、固有の識別表示１６が、日足、週足、月足、年足等に相応する単位期間の同行欄５内に表示されていることを特徴とする。
【発明の効果】
【００１２】
本発明の株価分析用チャートシートにおいては、縦軸に株価、横軸に日足、週足、月足、年足等の時期を表示しうるように構成された株価分析用チャートシートにおいて、同種の他のチャートシートと区別するための固有の識別表示が、チャートシート本体に多数表示されているため、このような株価分析用チャートシートを複写等の手段によって複製した場合、上記固有の識別表示も同時に複製されることとなるので、そのチャートシートが複製されて流出した場合でも、その流出した出所を上記固有の識別表示によって容易に特定することができる。【００１３】
特に、チャートシート本体が、株式投資の知識を教授する教授者と、その教授を受ける複数の受講者とが保有するものであって、前記固有の識別表示が、前記複数の受講者にそれぞれ付与された固有の識別表示である場合には、教授者に無断で受講者が複製し、模倣、盗用する場合や第三者に開示したような場合でも、そのような不正な行為を行なった受講者を特定することができるので、そのような無断複製、模倣、盗用等の事態を防止する上での対処等も容易に行なうことができる。【００１４】
さらに、上記固有の識別表示が、日足、週足、月足、年足等に相応する単位期間の同行欄に表示されている場合には、そのような単位期間の同行欄には、ケイ線やその他の情報等も同時に表示されるので、上記固有の識別表示のみを末梢し、改ざんするようなことも困難となり、このような固有の識別表示の改ざんや末梢を好適に防止することができる。また、このような固有の識別表示を細字で表示する場合には、上記のように単位期間の同行欄からはみ出ないように、その同行欄内に納まるように固有の識別表示を表示することが容易となる。また、細字で固有の識別表示が表示されているので、本来株価の分析を行うために必要なケイ線表示部や、高値、安値、始値、終値、出来高等の表示情報の見易さに影響を及ぼすことがない。
【発明を実施するための最良の形態】
【００１５】
以下、本発明の実施形態について図面に従って説明する。【００１６】
（実施形態１）
図１において、１は一実施形態としての株価分析用チャートシートのチャートシート本体で、縦軸２には株価が表示でき、横軸３には時期が表示できるように構成されている。本実施形態においては、チャートシート本体１は、縦約０．８ｍ、横約１．５ｍの大型のチャートシートが用いられている。【００１７】
このチャートシート本体１は、１つの銘柄について１つずつ形成されることとなり、従って縦軸２の株価の表示は、その銘柄に応じて株価や縦軸方向の単位寸法あたりの値幅が設定されている。本実施形態では、図２及び図３に示すように、縦軸２には１９００円までの株価が表示されており、１目盛りが１０円とされ、１００円ごとに数字が表示されている。尚、チャートシート本体１には、銘柄に関する説明、チャートシートに関する説明、その他、後述する株式投資の知識の教授を行なうのに必要な説明を表示するための説明表示欄４が左上欄に設けられている。【００１８】
また横軸３の時期も、銘柄に応じて、その横軸方向の単位期間、すなわち日足、週足、月足、年足等に応じて単位期間が設定されている。横軸３の目盛りは、図２及び図４に示すように、西暦の年度及び月でなされている。つまり本実施形態では、月足で単位期間が設定されていることとなる。年度は、図２に示すように１９６４年頃から図４に示すように２００７年頃まで表示されている。月に関しては、図２及び図４に示されているように、奇数月のみ算用数字で表示され、偶数月は単にプロットで表示されている。【００１９】
また、一定期間毎に枠で区分された同行欄５，…が形成されている。本実施形態では、同行欄５は３ケ月毎に枠で区分されて形成されている。【００２０】
さらに、チャートシート本体１上の右側の複数行の同行欄５には、図４や図５に示すように、ケイ線表示部や各情報が全く出力表示されない余白欄６が形成されている。これは、余白欄６に、新たな株価情報をその都度記入することができるようにするためである。すなわち、上記のようなチャートシートには、すでに所定の時期までの情報が表示されているのであるが、当然のことながらその時期以後の株価は、リアルタイムで加えていく必要がある。その場合、上述のような余白欄６が形成されていれば、所定の時期までの情報が表示されたチャートシートを保有する使用者は、新聞やインターネットの株価情報を自分で確認して、所定時期以後の株価を上記余白欄６に自分で記入することができる。この結果、所定時期以後の単位期間の株価情報を自分で記入することで、保有するチャートシートを常に最新のケイ線図として利用することができるのである。【００２１】
そして、表示すべき株価は、図６に示すように、実体７と称される長方形で包囲された部分と、ひげ８と称される線上の部分からなるケイ線表示部９で表示される。すなわち、本実施形態においては、いわゆるローソク足で株価が表示されている。
長方形状からなる実体７は始値と終値を表すもので、図６に示すように、その長方形の４つのコーナーのうちの２つのコーナーの位置（同じ高さのもの）のプロット１０、１０が始値を示し、他の２つのコーナーの位置（同じ高さのもの）のプロット１１、１１が終値を示し、終値が始値より高い場合には、実体７の部分は図６（イ）に示すように白色で陽線として表示され、終値が始値より安い場合には、実体７の部分は同図（ロ）に示すように黒色で陰線として表示される。【００２２】
また、ひげと称される上側の線状部の上端のプロット１２が高値を示し、下側の線状部の下端のプロット１３が安値を示し、高値のプロット１２が前記始値（終値）の２つのプロットを結ぶ線の中央に結ばれて上側のひげ８が形成され、安値のプロット１３が前記終値（始値）の２つのプロットを結ぶ線の中央に結ばれて下側のひげ８が形成されている。【００２３】
一方、このような実体７とひげ８とからなるケイ線表示部９とは別に、同行欄５ごとに、番号や記号等の識別表示１４が表示されている。たとえば図２においては、１〜５４の番号で識別表示１４が表示されている。【００２４】
図１に示されない詳細な部分を、一例として図７乃至図１０に示す。図７には、全体の表示がなされており、同行欄５内において、上側から始値、終値、識別表示、単位期間（単位期間が月足であり月が表示されている）、高値、ケイ線表示部９、安値、出来高、高値と安値との中間値の順で表示されている。上記各情報を表示する数字は、すべて算用数字で縦書きに表示されている。【００２５】
図８は図７を拡大した図であり、図８において、たとえば「Ｓ６８９」は、始値が６８９円であることを示し、「Ｅ６８０」は、終値が６８０円であることを示す。また「＊２４０」は識別表示１４であり、「８月」は、表示された同行欄が８月の株価等を示すものであり、「Ｈ７３８」は、高値が７３８円であることを示す。図９は別の部分を拡大した図であり、たとえば「Ｌ１６０」は安値が１６０円であることを示し、「Ｖ１４４」は、出来高が１４４であることを示す。【００２６】
このようなケイ線表示部９や、高値、安値、始値、終値等の数字で表された株価と、数字で表された出来高によって、株価の変動を予測するのである。【００２７】
さらに、チャートシート本体１には、他のチャートシートと区別するための固有の識別表示１６が多数表示されている。本実施形態においては、この識別表示１６として、後述するような株式投資の知識の教授を受講する複数の受講者の会員番号が用いられる。この識別表示１６として、本実施形態では１００００の数字が表示され、図２、図７、図８等にも示されてはいるが、図１０に最も良く示されている。【００２８】
このようなチャートシートは、後述するように、株式投資の知識を教授する教授者と、その教授を受ける複数の受講者とが全く同じもの、つまり同じ銘柄であってケイ線表示部９や、高値、安値、始値、終値等の数字で表された株価と、数字で表された出来高がすべて同じものを保有して、講義、学習等、株式投資の知識の教授が行われるので、銘柄、ケイ線表示部９、株価等の情報が表示された全く同じチャートシートであって、教授者と複数の受講者との人数分のものが予め準備されることとなる。【００２９】
しかし、教授者に無断で教材であるチャートシートを受講者が複製し、模倣、盗用する場合や第三者に開示するような場合も想定される。【００３０】
そこで複数の受講者の会員番号が、上記識別表示１６として、それぞれの受講者に手渡されるチャートシートに表示されることとなる。つまり、複数の受講者に手渡されるチャートシートは、上記のように銘柄、ケイ線表示部９、株価等の全く同じ情報が表示されたものであるが、識別表示１６はすべての受講者に対して異なったものが付与されることとなる。【００３１】
従って、仮に教授者に無断で受講者が複製し、模倣、盗用する場合や第三者に開示したような場合でも、そのような不正な行為を行なった受講者を特定することができるので、そのような無断複製、模倣、盗用等の事態を防止する上での対処等も容易に行なうことができることとなる。【００３２】
さらに、一株株主資本の数値の整数倍の数値（２倍、３倍、４倍、５倍等）に対応する縦軸上の位置の横方向に、１年分の期間にわたって株主資本表示部１５が形成されている。この株主資本表示部１５の両端は、矢印で表示されている。図７及び図８では、一株株主資本の数値の２倍の数値で表示されている。図７及び図８において(２．００）＝８５０は、銘柄に係る会社のみの一株株主資本の２倍の数値が８５０円であることを示し、株主資本表示部の両端の矢印は、黒で塗りつぶされている。【００３３】
このように、一株株主資本の数値や、その整数倍等、所定の倍率の数値に対応する縦軸上の位置の横方向に、１年分の期間にわたって株主資本表示部１５が表示されているため、一株株主資本の数値やその所定の倍率の数値と株価との相関関係を一目で容易に把握することができる。すなわち、一般に株価の変動の性質として、一株株主資本の所定の倍率の数値の近辺まで下落したとき、その一株株主資本の所定の倍率の数値の近辺から急激に上昇するという性質があり、この動向をチャート紙面上で容易に把握することができるのである。【００３４】
上記のような株価分析用チャートシートは、たとえばコンピューターに接続された大型プリンターや大型印刷機等で、上記のようなケイ線表示部９や各種の数字等の所定の情報が印刷されて構成される。具体的には特定の銘柄の株価の始値、終値、高値、安値の４本値と、出来高等が単位期間ごとにコンピュータに入力され、必要に応じて上記のようなプリンター等でチャートシート本体１に出力表示されるのである。【００３５】
コンピューターとしては、パーソナルコンピューターや、大型コンピューターを使用することが可能である。入力手段としては、パーソナルコンピューター等に接続されたキーボードが用いられ、そのキーボードによって株価、出来高等の情報が入力される。ただし、取り扱う銘柄が多い場合等には、キーボードによる入力の煩雑さ等を解消するため、証券取引所や、証券取引所と契約した株価情報提供会社等からリアルタイムで提供される株価を、オンラインで入力することも可能である。【００３６】
上記のような各情報は、チャートシート本体１の大型表示紙面に印刷されているため、使用者にとって非常に見やすいものとなる。上記のような大型のプリンター等で印刷されたチャートシート本体１は、それ自体が大型表示紙面を有して非常に見易いものであるため、一般投資家がそれを保有して利用することもむろん可能である。しかし、株式投資に関する知識が乏しい者や株式投資の初心者にとっては、書籍又はパソコン画面等の小さなスペースに表示された一般の株価分析用チャートに比べると、把握し易く、相場の変動の予測がし易いものではあるが、実際の「売り」と「買い」を行うに際して複雑な株価の動向等を予測することはやはり容易ではない。【００３７】
そこで、そのようなノウハウや株式投資に関する知識をたとえば株式投資の専門家に教授してもらえれば非常に好都合である。たとえば上記のような株式投資の専門家が株式投資の知識を教授すべく講座や学習塾を開設し、一般投資家や初心者等の受講者に株式投資に関する知識を教授するような場合に、上記のような株価分析用チャートシートを利用することができる。【００３８】
すなわち、上記のようなチャートシートの大型表示紙面に、ケイ線表示部９、出来高その他の数字情報が表示された株価分析用チャートシートであって、同じ銘柄の同じ情報を表示したものを、教授者と受講者とがそれぞれ保有し、それを見ながら受講者は教授者の講義を受けることができる。この場合、受講者は、表示紙面が大型で見易く、上記のような種々の情報が同行欄５内に表示された特殊なチャートシートを保有しそれを見ながら専門家の講義を聴講することができるため、株価の変動の予測、「売り」と「買い」のタイミング等、株式投資に関する知識やノウハウを、習得することが容易となる。【００３９】
このように、教授者と受講者との双方でチャートシートが利用される場合、各同行欄５ごとに、上述のように番号や記号等の識別表示１４が表示されることによって、教授者と受講者間の知識の教授がより効果的に行われることとなる。【００４０】
これをより具体的に説明すると、識別表示１４の番号を特定して、たとえば教授者が「ＮＯ．○○の欄を見てください。その欄の株価と出来高は…」と受講者に説明をするような場合に、教授者と受講者との双方が、チャートシート本体１内における株価や時期等の同じ表示情報を特定するのが非常に容易となり、教授者にとって説明を容易に行えるだけでなく、受講者にとっても理解が容易となるのである。【００４１】
この識別表示１４が表示される場所は、特に限定されるものではないが、ケイ線表示部９の所定間隔隔てた上下に表示されるのが好ましい。このように所定間隔隔てた表示部の上下に識別表示１４が表示されることによって、株価の上下の変動に応じて識別表示１４を視認することができ、受講者の視覚により効果的に訴えることができる。【００４２】
また、上記のような出来高、単位期間の高値、安値、始値、終値、及びその単位期間における高値と安値との中間の株価等の数字情報も、ケイ線表示部９の所定間隔隔てた上下に表示されることによって、出来高その他の各数字情報を、受講者の視覚により効果的に訴えることができることとなる。特に、これらの数字情報は、算用数字で縦に表示されているので、すべて同行欄５のうちの１つの単位期間内に納めることができ、従って教授者と受講者との双方が同じチャート紙面を見て知識の授受を行うのが非常に容易となる。【００４３】
尚、上述のように、チャートシート本体１の右側の複数の同行欄５には、余白欄６が形成され、その余白欄６に所定時期以後の単位期間の株価情報を自分で記入することで、上述のように保有するチャートシートを常に最新のケイ線図として利用することができるが、特に、所定の時期までの株価情報を表示した状態のチャートシートを、株式投資の知識の教授を行う教授者が受講者に渡すことにより、以後の株価情報を受講者が自分で記入することで、受講者自身の知識の向上にも寄与することとなる。【００４４】
このように、本実施形態の株価分析用チャートシートは、株式投資の知識の教授を行う教授者と受講者とが同じ情報の表示されたものを用いて学習、講義等を行うことができるので、上記株価分析用チャートシートを通じて教授者の知識やノウハウが受講者に伝達されることとなる。そのために、無形の財産であるその知識やノウハウが、チャートシートを無断で複製することで、模倣、盗用されるおそれがある。【００４５】
しかしながら、本実施形態では、上記のような固有の識別表示１６がチャートシート本体１上に多数表示されているので、そのような無断複製がされた場合でも、直ちに受講者が特定され、そのような無断複製の防止の対処も容易に行えるのである。【００４６】
（実施形態２）
本実施形態では、ケイ線表示部９の形態が実施形態１と相違している。すなわち、本実施形態では、上記実施形態１のローソク足のケイ線表示部９に代えて、図１１及び図１２に示すような楔形のケイ線表示部９を用いている。本実施形態では、図１１に示すように、縦軸２に株価を表示できる点は実施形態１と同様であるが、横軸３に出来高を表示できるように構成されている点で実施形態１と異なっている。【００４７】
縦軸２の株価の表示は、その銘柄に応じて株価や縦軸方向の単位寸法あたりの値幅が設定され、また横軸３の出来高の表示（図示せず）も、銘柄に応じて、その横軸方向の単位寸法あたりの株数が設定される。【００４８】
この横軸の出来高に関する単位寸法の設定は、具体的には、株価を表示する総期間（たとえば年足の場合には総年数、月足の場合には総月数、週足の場合には総週数、日足の場合には総日数となる）における総出来高を求め、単位期間における出来高数を算出することによって行う。尚、横軸には、出来高のみならず、その出来高が成立した期間の年月日等も表示される。【００４９】
またケイ線表示部９は、図１２に示すように始値を表す２箇所の表示位置１０、１０と、終値を表す２箇所の表示位置１１、１１とが縦方向にそれぞれ２つの線で結線され、終値を表す２箇所の表示位置１１、１１又は始値を表す２箇所の表示位置１０、１０と、高値を表す１箇所の表示位置１２とがそれぞれ斜め方向に２つの線で結線され、さらに始値を表す２箇所の表示位置１０、１０又は終値を表す２箇所の表示位置１１、１１と安値を表す１箇所の表示位置１３とがそれぞれ斜め方向に２つの線で結線されて全体が略六角形状に形成されている。【００５０】
そして終値が始値より高い場合には、図１２（イ）に示すように白色（白抜き）に表示され、陽線であることが示され、終値が始値より安い場合には、図１２（ロ）に示すように黒色に着色され、陰線であることが示されることとなる。【００５１】
このように表示されるケイ線表示部９の形状は、２箇所の始値の表示位１０、１０、２箇所の終値の表示位置１１、１１、高値の表示位置１２、安値の表示位置１３をそれぞれ頂点とする略六角形状に形成されたものである点で共通するが、上述のようにチャートシート１の横軸方向の目盛りが出来高に比例するように寸法設定されているので、ケイ線表示部９の形状は必然的に始値、終値、高値、安値の価格に応じて単位期間ごとにすべて異なるものとなる。また、出来高の相違に応じてケイ線表示部９の幅も異なったものとなる。【００５２】
従って、たとえば図１２（イ）に示すようにケイ線表示部９の上側の２辺のなす角度が小さく、鋭利な楔形状である場合には、その高値は単位期間内において突出した価格であることが判断できる。さらに、ケイ線表示部９の幅が大きい場合には、出来高が多いことが判断できる。また、ケイ線表示部９が図１２（イ）に示すように白色（白抜き）に表示されている場合には、終値が始値より高いこと、すなわち陽線であることが容易に判断できる。【００５３】
さらに本実施形態では、図１３に示すように、相場の転換点となる位置を横方向に結線して相場の転換点を予測するための相場転換点予測表示線１７が表示されている。この相場転換点予測表示線１７は、直線部１７ａが実線で表示されているとともに、その両端部１７ｂに矢印が設けられている。【００５４】
相場の転換点となる位置は、次のように判断して設定される。一般に、相場が長期間低迷しているときに大出来高となれば、それが１つの相場上昇の転換点であるとの一応の予測ができ、また相場が長期間上昇しているときに大出来高となれば、それが１つの相場下降の転換点であるとの一応の予測ができるが、本実施形態では、ケイ線表示部９の幅の寸法が、出来高に比例して形成されるため、一見して相場の上昇への転換点や下降への転換点を予測することができる。【００５５】
また、単位期間内において高値又は安値が突出した価格であるか否かも、上記出来高に加えて相場変換点の判断の目安の１つとなるが、特に、図１１及び図１２の実施形態では、ケイ線表示部９が上記のような略六角形状に形成されているため、高値又は安値が単位期間内で突出していれば、そのケイ線表示部９の上下２辺のなす角度が小さくなって鋭角になり易く、ケイ線表示部９の全体の形状が略楔形となるため、この形状が使用者の視覚に訴え易いものとなる。【００５６】
従って、相場が長期間低迷しているときに、ケイ線表示部９の幅が広く（大出来高を意味する）且つその上側先端部の角度が鋭角（高値が単位期間内で突出していることを意味する）になれば、その時期が相場上昇の転換点であると、一見して判別できることとなる。つまり、安値圏で株価が変動しつつあることを認識できるのである。図１２（イ) のようにケイ線表示部９が白色で陽線を表示していれば、相場上昇の転換点である可能性がより高まることとなる。【００５７】
一方、相場が長期間上昇しているときに、ケイ線表示部９の幅が広く（大出来高を意味する）且つその下側先端部の角度が鋭角（安値が単位期間内で突出していることを意味する）になれば、その時期が相場下降の転換点であると、一見して判別できることとなる。つまり、高値圏で株価が変動しつつあることを認識できるのである。図１２（ロ）のようにケイ線表示部９が黒色で陰線を表示していれば、相場下降の転換点である可能性がより高まることとなる。【００５８】
尚、ケイ線表示部９の下側の２辺のなす角度が大きくほとんど直線に近い場合には、その安値は単位期間内においては終値とほぼ同じであることが判断でき、この場合には相場上昇の転換点である可能性がさらに高まり、ケイ線表示部９の上側の２辺のなす角度が大きくほとんど直線に近い場合には、その高値は単位期間内においては始値とほぼ同じであることが判断でき、この場合には相場下降の転換点である可能性がさらに高まる。【００５９】
以上のようにして相場の転換点がケイ線表示部９等によって視覚的に判断され、任意の２つの相場転換点が結線されて相場転換点予測表示線１７が形成されることとなる。ここで、相場転換点は、１つの銘柄のチャートシート本体１上で多数生じ得るので、その銘柄のチャートシート本体１においては、複数の相場転換点予測表示線１７が形成されうる。このように複数の相場転換点予測表示線１７が表示される場合、それら複数の相場転換点予測表示線１７は、１つの銘柄のチャートシート１上では略同寸法となる。【００６０】
従って、チャートシート本体１にすでに表示されている相場転換点予測表示線１７の寸法を定規又は物差し等の寸法測定具で測定して予測認定寸法を予め設定し、その予測認定寸法を基にして、未だ相場転換点予測表示線１７を形成していない最近の任意の相場転換点に着目し、その任意の相場転換点を一端側として定規又は物差し等で他端側となるべき位置に印を付す。その他端側となるべき位置は、すでにケイ線表示部９等が表示された過去の時期ではなく余白欄６等が存在する将来の時期であるが、チャートシート本体１上に表示される複数の相場転換点予測表示線１７の寸法が略同寸法であるとの予測の基に、上記任意の相場転換点を一端側として予測認定寸法隔てた位置は、同様に相場転換点となりうるのである。従って使用者は、今後予測される相場転換点を、定規又は物差し等の簡易な寸法測定具を用いてチャートシート本体１上できわめて容易に見出すことができるのである。【００６１】
一方、本実施形態においても上記実施形態１と同様に、単位期間ごとにケイ線表示部９に対応させて番号と＊の記号からなる識別表示１４が表示されている。この識別表示１４は、図１４乃至図１７に示されている。これらの識別表示１４のうち、相場転換点予測表示線１７の両端部１７ｂにおける識別表示１４は、他の識別表示１４に比べて大きな文字で表示されている。これによって、相場転換点の位置（単位期間）を容易に判別することができる。【００６２】
さらに、ケイ線表示部９の輪郭線の太さは、そのケイ線表示部９が表示された単位期間内の出来高量に応じて変わるように設定されている。つまり、幅の広いケイ線表示部９ほど輪郭線が太くなるように設定されている。たとえば図１５においては、陽線及び陰線の複数のケイ線表示部が表示されているが、輪郭線を判別し易い陽線のうちの４つのケイ線表示部９ａ、９ｂ、９ｃ、９ｄに着目すると、他の３つのケイ線表示部９ｂ、９ｃ、９ｄに比べて著しく出来高量が多く幅の広いケイ線表示部９ａは、またその輪郭線も他のケイ線表示部９ｂ、９ｃ、９ｄに比べて著しく太くなっている。従って、このようなケイ線表示部９の輪郭線の太さによっても、相場転換点の位置を容易に把握することができるのである。【００６３】
さらに、ケイ線表示部９の形状は、上述のように基本的には六角形状のものであるが、これは始値、終値、高値、安値の４種類の数値がすべて異なる場合であり、五角形や四角形にもなりうる。上述の「略六角形状」とは、始値、終値、高値、安値に応じて種々の六角形の形状に変化しうる他に、六角形以外の五角形や四角形にもなりうることも含む意味である。【００６４】
さらに、本実施形態においても、上記実施形態１と同様に、他のチャートシートと識別するための固有の識別表示１６が多数表示されている。本実施形態においても、この識別表示１６として、株式投資の知識の教授を受講する受講者の会員番号が用いられる。この識別表示１６として、本実施形態でも図１４、図１６、図１７等に示すように１００００の数字が表示されている。【００６５】
従って、本実施形態においても、教授者に無断で受講者が複製し、模倣、盗用する場合や第三者に開示したような場合でも、そのような不正な行為を行なった受講者を特定し、そのような無断複製、模倣、盗用等の事態を防止する上での対処等も容易に行なうことができることとなる。【００６６】
出来高を示す数字が、単位期間ごとに表示されている点、単位期間の高値、安値、始値、終値、及びその単位期間における高値と安値との中間の株価（中間値）が、それぞれ数字情報として算用数字で縦書きに表示されている点、単位期間自体の表示、たとえば月足であれば、１月、２月、３月…等の該当する月の表示がなされている点は、上記実施形態１の場合と同様である。【００６７】
また本実施形態においても、上記実施形態１と同様に、たとえばコンピュータに接続した大型のプリンター等によってチャートシート本体１上に所定の情報が印刷されることとなる。またチャートシート本体１の紙面の大きさやチャートシート本体１の材質等も上記実施形態と同様である。【００６８】
（その他の実施形態）
尚、上記実施形態１では、ケイ線表示部９の表示態様として、実体７やひげ８で表示する、いわゆるローソク足（陰陽引日足）と称される表示態様を採用し、実施形態２では略六角形状の表示態様を採用したが、ケイ線表示部９の表示態様も該実施形態のローソク足に限定されるものではなく、たとえば星形法、棒形法、山形法、カギ形法、大引足等の表示法を採用することも可能である。【００６９】
さらに、該実施形態では、陽線を表示する場合すなわち単位期間内で始値が終値よりも高い場合に白色（白抜き）で表示され、且つ陰線を表示する場合すなわち始値が終値よりも安い場合に黒色に着色されているが、着色する色等はこれに限定されるものではなく、たとえば陽線を赤色で表示することも可能である。また、これ以外の色、たとえば陽線は白色として陰線を黒色以外の灰色、黄色、緑色、紫色等に着色することが可能である。【００７０】
さらに、上記実施形態では、出来高が数字で表示されていたが、出来高の表示手段はこれに限定されるものではなく、たとえば棒グラフ状に表示することも可能である。【００７１】
さらに、設定される単位期間は、日足、週足、月足、年足等問うものではなく、銘柄や株価の変動状況等に応じて任意に設定することができる。また、縦軸２の株価の設定や、縦軸２における単位寸法あたりの価格の設定も銘柄に応じて任意に変更可能である。【００７２】
さらに、上記実施形態では、チャートシートの右側に、余白欄６を形成したため、所定時期以後の株価情報を自分で記入することができ、常に最新のケイ線図を得ることができるという好ましい効果が得られたが、このような余白欄６を形成することは本発明に必須の条件ではない。尚、余白欄６を形成する場合、その余白欄６を構成する同行欄５の数は問うものではないが、以後の情報を長期間記入する必要がある場合には、数多くの同行欄５が形成されるように余白欄６のスペースを設定する必要がある。【００７３】
また、チャートシート本体１に表示される情報は、印字に限らず手書きで表示されていてもよい。【００７４】
さらに、上記実施形態では、単位期間の高値、安値、始値、終値等が、ケイ線表示部９で表示される他に、数字でも表示されていたが、このように数字で高値、安値、始値、終値等を表示することは、本発明に必須の条件ではない。ただし、本発明においては、大型の表示紙面を有する大きさにチャートシートが形成されるので、ケイ線表示部７のみならず、それ以外の多くの情報を表示することができるのである。【００７５】
また、上記実施形態では、チャートシート本体１として、縦０．８ｍ、横１．５ｍのチャートシートを用いたが、チャートシート本体１の寸法はこれに限定されるものではなく、その大きさは問うものではない。ただし、縦は０．８〜６ｍであり、横は１〜６ｍであることが好ましい。縦が０．８未満、横が１ｍ未満であると、本発明のチャートシートに要求される「見易さ」が損なわれるおそれがあるからである。【００７６】
すなわち、本発明のチャートシートにおいては、上記のような種々の数字情報等が単位期間ごとに表示されることになるので、表示された情報がある程度見易い状態であるためには、単位期間の幅と長さを一定寸法以上確保する必要があり、そのためには、チャートシート本体１の大きさも一定以上必要となる。単位期間の幅が狭すぎると、表示できる文字等が非常に小さくなり、見易い状態であるためには、横が１ｍ以上であることが好ましい。【００７７】
また、チャートシート本体１の構成上、上記のような数字情報等は、縦書きに表示され、しかもケイ線表示部９が表示されている部分以外の余白スペースに表示しなければならないため、単位期間の縦の長さも一定以上必要となる。この観点から、上記のように縦が０．８ｍ以上であることが好ましい。【００７８】
一方、縦、横ともに６ｍを超えると、そのような大型の印刷機を準備するのが困難となるため、その観点から縦、横ともに６ｍ以下であることが好ましい。【００７９】
また、上記実施形態では、１枚のチャートシートを用いる場合について説明したが、複数枚のチャートシートを繋ぎ合わせて使用することも可能である。株価の変動を長期にわたって検討し、考察するためには、その分単位期間が多くなり、従って寸法にある程度の限界のあるチャートシートを繋ぎ合わせて使用する必要が生ずる場合があるからである。【００８０】
さらに、上記実施形態では、チャートシート本体１が紙で構成されている場合について説明したが、チャートシート本体１の材質は紙に限定されるものではなく、たとえば合成樹脂製のシートを用いることも可能であり、そのチャートシート本体１の材質は問わない。ただし、取り扱いの便宜、表示のしやすさ、コスト等の観点からは、紙製のものが好ましい。【００８１】
さらに、入力手段としては、すでに述べたようにパーソナルコンピューターのキーボードによる入力手段に限らず、証券取引所等からオンラインでリアルタイムに入力するような手段を採用することも可能であり、またその他の入力手段を採用することも可能である。【００８２】
さらに、出力手段も、大型印刷機又は大型プリンター等による出力手段に限定されず、パーソナルコンピューターと併用される一般のプリンターによる出力手段であってもよく、その手段は問わない。【００８３】
さらに、教授者と受講者との双方が、同じチャートシートを利用する場合には、上述のように、チャートシートの単位期間ごとに識別表示１４を形成することで好ましい効果が得られたが、このような識別表示１４表示することは本発明に必須の条件ではない。【００８４】
さらに、教授者と受講者との双方が、同じチャートシートを利用する場合、たとえば剥離自在な着色されたシールを使用することができる。このような着色シールを複数色準備することで、たとえば赤色は高値、青色は安値等の種別を選定し、その上で高値、安値等の主要なポイントに着色シールを貼着すると、教授者が受講者に説明する際のポイントとなる高値、安値等の位置を特定するのが非常に容易となり、ひいては天井値、底値、相場の転換点その他等を説明をするのが非常に容易となる。【００８５】
この場合、着色シールを用いることに代えて、たとえばカラーのサインペンや色鉛筆等の筆記具を利用して、主要ポイントに同様の表示を行うことも可能である。
【図面の簡単な説明】
【００８６】
【図１】一実施形態としての株価分析用チャートシートの概略平面図。
【図２】縦軸の下部を示す要部拡大平面図。
【図３】縦軸の上部を示す要部拡大平面図。
【図４】横軸の右部を示す要部拡大平面図。
【図５】縦軸の右側上部を示す要部拡大平面図。
【図６】ケイ線表示部を示す要部拡大平面図。
【図７】図１の一部を拡大して示す要部平面図。
【図８】図７の一部をさらに拡大して示す要部平面図。
【図９】図１の他の部分を拡大して示す要部平面図。
【図１０】図１の他の部分を拡大して示す要部平面図。
【図１１】他実施形態の株価分析用チャートシートの概略平面図。
【図１２】他実施形態のケイ線表示部を示す要部拡大平面図。
【図１３】相場転換点予測表示線の部分を拡大して示す要部平面図。
【図１４】図１１の一部を拡大して示す要部平面図。
【図１５】図１１の他の部分を拡大して示す要部平面図。
【図１６】図１１の他の部分を拡大して示す要部平面図。
【図１７】図１１の他の部分を拡大して示す要部平面図。
【符号の説明】
【００８７】
１…チャートシート本体            ２…縦軸
３…横軸                          ９…ケイ線表示部
１０…始値の表示位置              １１…終値の表示位置
１４…識別表示                    １６…固有の識別表示
【図１】
2007176145.tif 000003
【図２】
2007176145.tif 000004
【図３】
2007176145.tif 000005
【図４】
2007176145.tif 000006
【図５】
2007176145.tif 000007
【図６】
2007176145.tif 000008
【図７】
2007176145.tif 000009
【図８】
2007176145.tif 000010
【図９】
2007176145.tif 000011
【図１０】
2007176145.tif 000012
【図１１】
2007176145.tif 000013
【図１２】
2007176145.tif 000014
【図１３】
2007176145.tif 000015
【図１４】
2007176145.tif 000016
【図１５】
2007176145.tif 000017
【図１６】
2007176145.tif 000018
【図１７】
2007176145.tif 000019